(57)【要約】
【課題】  デスクトップ型コンピュータの可搬性に劣る欠点を解消する
【解決手段】  コンピュータ本体１からケーブル４にて有線で入力した画面表示信号とスピーカ信号とを合成・暗号化して無線送信すると共に、アンテナ３にて受信した信号を復号化・分離してキーボード信号とマウス信号とマイク信号を有線でコンピュータ本体１に出力する通信機２と、アンテナ５にて受信した信号を復号化・分離して画面表示信号とスピーカ出力をすると共に、入力したキーボード信号とマウス信号とマイク信号を合成・暗号化して無線送信する一体型操作機１３とから構成されるワイヤレス一体型操作装置にて解決する。この一体型操作機１３は、ディスプレイ部及びキーボード部等を一体化した省スペースのノート型の形態であり、容易に移動可能である。
【選択図】  図１
0003101061.tif 000002
【実用新案登録請求の範囲】
【請求項１】
コンピュータ本体をワイヤレスで操作するワイヤレス一体型操作装置であって、
前記コンピュータ本体からの画面信号とスピーカ信号とを入力し、該入力した画面信号とスピーカ信号とを合成して通信部に出力すると共に、該通信部から出力された信号をキーボード信号とマウス信号とに分離してコンピュータ本体に出力する分離／合成部と、少なくとも前記画像信号を暗号化すると共に受信したキーボード信号を復号化する暗号部とを備える通信機と、
該通信機から送信された信号を受信する通信部と、該通信部で受信した信号を画面表示信号とスピーカ信号とに分離して出力すると共に、入力したキーボード信号とポインティングデバイス信号とを合成して通信部に出力する分離／合成部と、少なくともキーボード信号を暗号化すると共に受信した画像信号を復号化する暗号部と、前記画面信号を用いて表示制御を行う表示制御部と、該表示制御部から供される画像信号により画像を表示するディスプレイ部と、前記分離／合成部から出力されたスピーカ信号を再生するスピーカ部と、前記分離／合成部にキーボード信号を出力するキーボード部と、前記分離／合成部にポインティングデバイス信号を出力するポインティングデバイスとを一体的に収納したノート型の一体型操作機と、
から構成されることを特徴とするワイヤレス一体型操作装置。
【考案の詳細な説明】
【技術分野】
【０００１】
本考案は、パーソナルコンピュータの本体に汎用に接続して該本体をノート型のキーボードやディスプレイを用いてワイヤレスで操作することができるワイヤレス一体型操作装置に関する。
【背景技術】
【０００２】
一般にパーソナルコンピュータは、液晶ディスプレイとキーボードとＣＰＵを一体的に形成したノート型コンピュータと、ディスプレイと、キーボードと、ＣＰＵを含むコンピュータ本体とを別設したデスクトップ型コンピュータとに大分される。
【０００３】
前記ノート型コンピュータは、小型軽量のために可搬性に優れ、デスクトップ型コンピュータは、可搬性では劣るものの、内部の回路機器、例えばＣＤ−ＲＯＭやＨＤＤ（磁気ディスク装置）や各種インタフェースボード、更にはマザーボードやＣＰＵの交換が容易であると言う特性を持つことが知られている。
【０００４】
他方、従来技術によるデスクトップ型コンピュータとして、下記特許文献１〜４記載の如く、コンピュータ本体と、キーボード等の周辺機器とをワイヤレスで接続するものが知られている。
【特許文献１】特開平１０−１８７３０６号公報
【特許文献２】特開２０００−２３５４４０号公報
【特許文献３】特開２００１−２９０５７９号公報
【特許文献４】実開平３−６６４２６号公報
【考案の開示】
【考案が解決しようとする課題】
【０００５】
一般にデスクトップ型のコンピュータは、高性能で拡張性に優れているものの、本体や表示部やキーボード等を別構成としているために設置スペースが大きくなるほか、使用場所が設置場所に限定されると言う不具合があった。
【０００６】
一方、ノート型コンピュータは、可搬性に優れるものの、小型化のために専用の回路機器を使用することが多く、このため内部機器の一部、例えばＣＤ−ＲＯＭをＤＶＤに拡張しようとしても専用品のために交換ができなかったり、更に内部容積の制限から高性能化に限界があると言う不具合があった。
【０００７】
尚、前記特許文献記載の技術は、コンピュータ本体とキーボード等の周辺機器とを無線等により接続するものであるが、何れの技術も無線によるセキュリティを配慮したものはなく、情報漏洩や混信による誤動作といった不具合があった。また、専用のコンピュータ本体と専用の周辺機器とをセットにしたものであって、汎用性に欠け、一般の個人で使用するパーソナルコンピュータにそのままでは適用できないと言う不具合があった。更にディスプレイとキーボード等が分離されており、可搬性に欠けるという不具合があった。
【０００８】
本考案が解決しようとする課題は、デスクトップ型コンピュータの長所を損なわずに前述の従来技術による不具合を除去することである。
【課題を解決するための手段】
【０００９】
前記課題を解決するために本考案は、コンピュータ本体に標準で設けられている画面表示信号コネクタ／キーボードコネクタ／マウスコネクタ／スピーカコネクタと接続し、これら端子に入出力される信号の送受信を行う通信機と、該通信機と暗号化されたワイヤレス通信を行い、ディスプレイ／キーボード／ポインティングデバイス／スピーカをノート型コンピュータのように一体化した一体型操作機から構成される。該通信機は、前記コンピュータ本体からの画面信号とスピーカ信号とを入力し、該入力した画面信号とスピーカ信号とを合成して通信部に出力すると共に、該通信部から出力された信号をキーボード信号とマウス信号とに分離してコンピュータ本体に出力する分離／合成部と、少なくとも前記画像信号を暗号化すると共に受信したキーボード信号を復号化する暗号部とを備える。また、該一体型操作機は、前記通信機から送信された信号を受信する通信部と、該通信部で受信した信号を画面表示信号とスピーカ信号とに分離して出力すると共に、入力したキーボード信号とポインティングデバイス信号とを合成して通信部に出力する分離／合成部と、少なくともキーボード信号を暗号化すると共に受信した画像信号を復号化する暗号部と、前記画面信号を用いて表示制御を行う表示制御部と、該表示制御部から供される画像信号により画像を表示するディスプレイ部と、前記分離／合成部から出力されたスピーカ信号を再生するスピーカ部と、前記分離／合成部にキーボード信号を出力するキーボード部と、前記分離／合成部にポインティングデバイス信号を出力するポインティングデバイスとを一体的に収納したノート型の構成を特徴とする。
【考案の効果】
【００１０】
本考案により、ユーザにおけるデスクトップ型コンピュータの使用場所は、ワイヤレス通信の通信可能範囲内であればコンピュータ本体の設置場所に限定されずに自由に移動できる。また、コンピュータ本体の性能向上をユーザが希望した場合、一体型操作機をそのまま利用しつつ、コンピュータ本体の部品交換等でシステム性能の向上を図ることができる。更にワイヤレス通信における暗号化を行うことから、情報漏洩や他の機器との混信を防止することができる。即ち、ユーザは、デスクトップ型コンピュータの拡張性、汎用性のメリットを失うことなく、ノート型コンピュータ並の省スペース、可搬性のメリットを得ることができる。
【考案を実施するための最良の形態】
【００１１】
以下、本考案によるワイヤレス一体型操作装置を図面を参照して詳細に説明する。図１は本考案によるワイヤレス一体型操作装置を含むコンピュータシステムの全体構成を説明するための図、図２は、本実施形態によるワイヤレス一体型操作装置の内部構成を説明するための図である。
＜全体構成の説明＞
【００１２】
本実施形態によるワイヤレス一体型操作装置を含むコンピュータシステムは、図１に示す如く、ＣＰＵ／ＨＤＤ／メモリ等を含むデスクトップ型のコンピュータ本体１と、該コンピュータ本体１の背面にあるディスプレイ用コネクタ／キーボード用コネクタ／マウス用コネクタ／スピーカ用コネクタ／マイク用コネクタ等の複数の入出力端子とケーブル４を介して接続される通信機２と、該通信機２と操作信号や画像信号の送受信を行うワイヤレスの一体型操作機１３とから構成される。
【００１３】
このワイヤレスの一体型操作機１３は、情報の画像表示行う薄型のディスプレイ部７と、データの入力等の操作を行うためのキーボード部８と、ディスプレイ部７上のカーソル移動等を行うためのポインティングデバイス９と、スピーカ信号の再生を行う左右チャンネルに対応したスピーカ部１０と、操作者の音声信号を入力するためのマイク部１４と、前記通信機２のアンテナ３と信号の送受信を介するアンテナ５と、前記各機構を制御するための制御回路とをノート型コンピュータに似せた筐体に一体的に収納したものである。尚、前記通信機２及びアンテナ３は、コンピュータ本体１の拡張スロットに挿入可能な拡張ボードとして構成しても良い。
＜内部構成の説明＞
【００１４】
さて、本実施形態による通信機２は、図２に示す如く、コンピュータ本体１のディスプレイ用コネクタから延びるケーブルが接続され、アナログの画像信号の場合は該信号をディジタル信号に変換するＡ／Ｄ変換器２１と、キーボード用コネクタから延びるケーブルが接続されるインタフェース（Ｉ／Ｆ）回路２２と、マウス用コネクタから延びるケーブルが接続されるインタフェース回路２３と、スピーカ用コネクタから延びるケーブルが接続され、アナログのスピーカ信号をディジタル信号に変換するＡ／Ｄ変換器２４と、マイク用コネクタから延びるケーブルが接続され、一体型操作機側からのディジタル信号をアナログのマイク信号に変換するＤ／Ａ変換器２５と、前記各回路２１〜２５と接続され、コンピュータ本体１からのアナログ信号をＡ／Ｄ変換したディジタル信号を合成し、且つ後述する受信した信号の分離を行う分離／合成部２７と、該分離／合成部２７から出力される合成信号を暗号化すると共に受信した合成信号を復号化する暗号部２９と、該暗号部２９と接続され、アンテナ３を介して外部とワイヤレス通信を行う通信部２８とを備える。
【００１５】
他方、一体型操作機１３は、前記ディスプレイ部７とキーボード部８とポインティングデバイス９とスピーカ部１０とマイク部１４とアンテナ５を制御する制御回路６０とを備え、該制御回路６０が、アンテナ５を介してワイヤレス通信を行う通信部６１と、該通信部６１で受信した受信（暗号化）信号を復号化すると共に送信信号を暗号化する暗号部３０と、該暗号部３０で復号化した信号を前記各部位の信号に分離すると共に各部位から入力した信号を合成する分離／合成部６２と、該分離／合成部６２から出力された画像信号を基にディスプレイ部７に対する表示制御を行う表示制御部６３と、前記分離されたディジタルのスピーカ信号をアナログ信号に変換してスピーカ部１０に供給するＤ／Ａ変換器６６及びアンプ６８と、キーボード部８及びポインティングデバイス９から入力されたディジタル信号を前記分離／合成部６２に入力するインタフェース回路６４及び６５と、前記マイク部１４から入力されたアナログの音声信号をディジタル信号に変換して分離／合成部６２に入力するＡ／Ｄ変換器６７及びアンプ６９とを備える。
【００１６】
前記暗号部２９及び３０は、他の機器との混信を防止するため、互いの機器を認識する認識キーにより認識された機器間のみ通信を行う。また、暗号化を必要とする画像信号を暗号キーにより暗号化及び復号化する。前記暗号部２９及び３０の識別キー及び暗号キーは、予め設定されても良いし、利用者が使用の都度設定しても良い。更に前記暗号部２９及び３０は、分離／合成部２７及び６２内にて処理を行う様に構成しても良い。
＜動作説明＞
【００１７】
さて、この様に通信機２及び一体型操作機１３により構成されたワイヤレス一体型操作装置は、通信機２が、コンピュータ本体１から出力される画像信号及びスピーカ信号を分離／合成部２７及び暗号部２９を用いて合成及び暗号化して一体型操作機１３側に送信し、該一体型操作機１３側が前記受信した信号を暗号部３０及び分離／合成部６２を用いて復号化並びに画像信号とスピーカ信号に分離し、ディスプレイ部７及びスピーカ部１０に入力して、ディスプレイ部７による画像表示並びにスピーカ部１０から音楽等の再生を行う様に動作する。
【００１８】
他方、一体型操作機１３は、キーボード部８及びポインティングデバイス９からの入力信号並びにマイク部１４からのマイク信号とを分離／合成部６２及び暗号部３０用いて合成及び暗号化して通信機２側に送信し、これを受信した通信機２が受信信号を暗号部２９を用いて復号化し、更に復号化した信号を分離／合成部２７を用いてキーボード信号／マウス信号／マイク信号に分離し、コンピュータ本体１に入力する様に動作する。
【００１９】
尚、本考案は、前記実施形態における通信機２および一体型操作機１３にＵＳＢコネクタを設けて利便性を高めることや、一体型操作機１３に充電式電池を設け可搬性を更に高めても良い。
【図面の簡単な説明】
【００２０】
【図１】本考案によるワイヤレス一体型操作装置を含むコンピュータシステムの全体構成を説明するための図。
【図２】本実施形態によるワイヤレス一体型操作装置の内部構成を説明するための図。
【符号の説明】
【００２１】
１：コンピュータ本体、２：通信機、３及び５：アンテナ、４：ケーブル、１３：一体型操作機、７：ディスプレイ部、８：キーボード部、９：ポインティングデバイス、１０：スピーカ部、１４：マイク部、２１及び２４：Ａ／Ｄ変換器、２２及び２３：インタフェース回路、２７及び６２：分離／合成部、２８及び６１：通信部、２９及び３０：暗号部、６３：表示制御部、６４及び６５：インタフェース回路、６６：Ｄ／Ａ変換器、６７：Ａ／Ｄ変換器、６８：アンプ、６９：アンプ。
【図１】
0003101061.tif 000003
【図２】
0003101061.tif 000004